(57)【要約】【課題】遊技球の流下経路を多様化させ遊技の興趣を高める。【解決手段】同心に配置され、同一支点を中心にして回転する外側回転体２３と内側回転体２４とによって構成される回転体ユニット１９を飾り枠１７の左側部に設ける。外側回転体２３の外周面２５ａに第一開口２５ｂ、内周面２５ｃに第二開口２５ｄを形成し、第一開口２５ｂと第二開口２５ｄとを連通させる球通路２５ｆを形成する。内側回転体２４の外周面２４ａに円弧状の球受け２４ｂを形成する。外側回転体２３と内側回転体２４とを互いに逆向きに回転させる。遊技盤４面を流下してきた遊技球７が回転体ユニット１９に取り込まれると、回転体ユニット１９は遊技球７の経路を振り分ける。【選択図】        図３
2005021513.tif 000002
【特許請求の範囲】
【請求項１】
弾球遊技機の遊技盤面に設けられ、遊技盤面を流下する遊技球の経路に変化を与える遊技球の流下経路可変装置において、
遊技盤面に設けられた軸により回転自在に支持され、回転中心を含む内側に中空部を有するとともに、遊技盤面に臨む外周面に形成した第一開口と前記中空部に臨む内周面に形成した第二開口とを連通させる球通路を有する外側回転体と、
前記中空部内に外側回転体と同心で回転するように支持され、前記第二開口からの遊技球の排出を制限して前記球通路内に遊技球を留める外周面を有するとともに、その外周面の一部に第二開口から排出された遊技球を受け入れる球受けが設けられた内側回転体と、
前記内側回転体と外側回転体とを回転させる駆動機構とを備えたことを特徴とする遊技球の流下経路可変装置。
【請求項２】
前記球通路が、複数個設けられていることを特徴とする請求項１記載の遊技球の流下経路可変装置。
【請求項３】
前記駆動機構は、内側回転体と外側回転体とを互いに逆向きに回転させることを特徴とする請求項１または２記載の遊技球の流下経路可変装置。
【請求項４】
前記駆動機構は、内側回転体と外側回転体とを異なる速さで回転させることを特徴とする請求項１〜３のいずれか記載の遊技球の流下経路可変装置。
【請求項５】
請求項１〜４のいずれか記載の遊技球の流下経路可変装置を備えたことを特徴とする弾球遊技機。
【発明の詳細な説明】
【０００１】
【発明の属する技術分野】
本発明は、パチンコ機などの弾球遊技機に用いられる遊技球の流下経路可変装置に関するものである。
【０００２】
【従来の技術】
弾球遊技機の一つとしてパチンコ機が広く愛好されている。パチンコ機では、遊技盤面に遊技球（パチンコ球）を打ち出すことによって遊技が行われる。遊技盤面には、種々の入賞口や電動式のチューリップ及び、釘や風車などのほかに、遊技の興趣を高めるために入賞装置が設けられている。入賞装置は、遊技中に特定の条件が満たされたときに遊技上での特典を与えるためのもので、種々のものが工夫され実用化されている。
【０００３】
例えば風俗営業法の基準で第一種特別電動役物と称される入賞装置は、チャッカ（始動入賞口）に遊技球が入って入賞が得られると乱数を用いた電子抽選が行われる。電子抽選の結果は、遊技盤に組み込まれている液晶パネルや回転式のドラム装置などの可変表示装置によって遊技者に報知され、この抽選で当選が得られたときには、通常の遊技状態では特別入賞口を閉じている可動扉（アタッカ）が所定のルールにしたがって開閉動作する。これに伴い、特別入賞口には多くの遊技球が入り易い状態となり、短時間で多くの賞球が得られるようになる。
【０００４】
可変表示装置として液晶パネルを用いたものでは、液晶パネルは遊技盤面のほぼ中央にステージとともにセンター役物として組み込まれるのが通常である。遊技盤面を流下してくる遊技球のうちで特定の経路を通ってきたものはステージの上に導かれる。遊技球はステージ上で様々に方向を変えながら転がり動いた後、再び遊技盤面を流下してゆくが、ステージのほぼ真下にチャッカが設けられているので、チャッカに入賞する確率が高くなる。
【０００５】
したがって、ステージ上に遊技球が導かれるか否かが遊技の展開を左右する一要素となる。このため、ステージへの流入口近傍で遊技球の動きが多様に変化するように釘や風車を独特のパターンで並べたり、さらにはステージから離れた位置に入口を設け、その入口に入った遊技球をステージ上に導くワープルートを設けたりして遊技者に興趣を持たせるようにしている。
【０００６】
【発明が解決しようとする課題】
しかしながら、釘配列や風車だけでは遊技球の流下経路に大きな変化を与えることはできず、しかもほとんどの場合、遊技球の流下経路が瞬間的に決まってしまうため持続した興趣を持たせることができない。また、ワープルートは釘や風車では得られない新鮮な興趣を生じさせる上で有効であるが、その入口に入った時点で遊技球の行く先が決まってしまうため、繰り返し遊技を行っているうちに興趣も薄れがちになる。
【０００７】
本発明は以上を考慮してなされたもので、単に遊技球の流下経路を大きく変更させるだけでなく、遊技球が流下してきたタイミングによって流下経路が多様に変化し、しかも遊技球が流入してからその流下経路が決まるまでの間、持続した興趣を与えることができる遊技球の流下経路可変装置を提供することを目的とする。
【０００８】
【課題を解決するための手段】
上記目的を達成するために、本発明の遊技球の流下経路可変装置は、弾球遊技機の遊技盤面に設けられ、遊技盤面を流下する遊技球の経路に変化を与えるものであり、遊技盤面に設けられた軸により回転自在に支持され、回転中心を含む内側に中空部を有するとともに、遊技盤面に臨む外周面に形成した第一開口と前記中空部に臨む内周面に形成した第二開口とを連通させる球通路を有する外側回転体と、前記中空部内に外側回転体と同心で回転するように支持され、前記第二開口からの遊技球の排出を制限して前記球通路内に遊技球を留める外周面を有するとともに、その外周面の一部に第二開口から排出された遊技球を受け入れる球受けが設けられた内側回転体と、前記内側回転体と外側回転体とを回転させる駆動機構とを備えている。これにより、遊技球が流入してからその流下経路が決まるまでの間、持続した興趣を与えることができる。また、釘を用いることなく、遊技球の流下経路を多様化させるとともに、大きく変更させることが可能になる。
【０００９】
また、前記球通路が、複数個設けられていることが好ましい。これにより、ある球通路に流入した遊技球が、流入した球通路とは異なる球通路から流出される可能性が生じるので、遊技者は遊技球の流下経路を予測し難くなり、遊技の興趣をより一層高めることができる。
【００１０】
また、前記駆動機構は、内側回転体と外側回転体とを互いに逆向きに回転させることが好ましく、さらに、内側回転体と外側回転体とを異なる速さで回転させることで、遊技球の所定位置、例えば始動入賞口、通常入賞口、アタッカなどの入賞部への到達確率を容易に変更することが可能となる。
【００１１】
本発明の弾球遊技機は、前記遊技球の流下経路可変装置を備えている。
【００１２】
【発明の実施の形態】
図１に示すように、パチンコ機２の本体枠３の内部には遊技盤４が配設されており、遊技盤４の前面側には前面枠５が開閉自在に設けられている。前面枠５の下方には、打球供給用の供給皿６及び遊技球発射装置（不図示）にて遊技球７を打ち出す強さを調節する操作ハンドル８が設けられている。遊技者は供給皿６に遊技球を投入し、操作ハンドル８を操作して、遊技盤４上の遊技領域４ａ（図２に図示）に向けて遊技球７を打ち出す。前面枠５には板状のガラスが装着されて形成されるガラス窓９が開閉自在に設けられており、遊技者や遊技場の作業者はガラス窓９を通して遊技盤４に設けられた遊技領域４ａ及び遊技領域４ａ上を流下する打ち出された遊技球７を見ることができる。
【００１３】
図２に示すように、遊技盤４上にはガイドレール１０に囲まれた遊技領域４ａが形成され、液晶ディスプレイからなる可変表示装置１１や、始動入賞口１２、通常入賞口１３、アタッカ１４等の入賞部、及びアウト口１５が配設されている。また、遊技盤４下部には前記入賞部に入賞されなかった遊技球７をアウト口１５の入口へと確実に誘導する誘導レール１６が配設されている。さらに、略矩形状の開口部１７ａと、突出ステージ１７ｂとを備えた飾り枠１７が、図示しないビスによって遊技盤４の略中央に取り付けられている。
【００１４】
図３に示すように、突出ステージ１７ｂは、飾り枠１７の下部にて、遊技盤４面から前方に向けて円弧状に突出して形成されており、突出ステージ１７ｂの略中央には突出ステージ１７ｂ上に導かれた遊技球７を始動入賞口１２に向けて排出するための誘導穴１８が形成されている。なお、この誘導穴１８の真下に始動入賞口１２が位置しており、遊技球７が誘導穴１８を通った場合には、遊技球７が高い確率で始動入賞口１２に取り込まれるような構成になっている。
【００１５】
遊技盤４の遊技盤面４ｂには、不図示であるが、障害釘、風車などの役物も設けられている。そして、飾り枠１７の左側部には回転体ユニット１９、第１、第２ワープルート２０、２１及び誘導部２２が設けられている。遊技球７はガイドレール１０に沿って打ち出され、遊技盤面４ｂを流下し、始動入賞口１２または通常入賞口１３またはアタッカ１４等の入賞部のいずれかに入賞するか、あるいはアウト口１５からハズレ球として回収される。始動入賞口１２または通常入賞口１３またはアタッカ１４等の入賞部のいずれかに遊技球７が入賞したときには所定個数の賞球が供給皿６に払い出される。なお、パチンコ機２における障害釘、風車などの構造物は公知であるので説明は省略する。
【００１６】
可変表示装置１１は、遊技の様々な場面において演出効果を兼ねた様々な態様となるように図柄（識別情報）等を、表示面１１ａに変動表示及び停止表示させることができるものである。表示面１１ａは、パチンコ機２の前面より、飾り枠１７に形成された開口部１７ａを通して観察できるようになっている。
【００１７】
図３〜図６に示すように、回転体ユニット１９は、同心的に配置される外側回転体２３と内側回転体２４とによって構成される。外側回転体２３は略有底円筒状に形成された外側回転体本体２５と、円筒状に形成された筒状回転軸２６とから構成されている（図４、５参照）。
【００１８】
図４、図６に示すように、外側回転体本体２５の外周面２５ａには第一開口２５ｂが等間隔で３つ形成されており、内周面２５ｃには３つの第二開口２５ｄがそれぞれ各第一開口２５ｂに対向するように形成されている。外側回転体本体２５の回転中心を含む内側には円柱状の中空部２５ｅが形成されている。この中空部２５ｅに内側回転体２４が嵌め込まれる。また、外側回転体本体２５には第一開口２５ｂと第二開口２５ｄとを連通させる断面が略台形状の球通路２５ｆが放射状に３つ形成されている。
【００１９】
内側回転体２４は略円柱状に形成されている。内側回転体２４の外周面２４ａには、断面が円弧状の切り欠きである球受け２４ｂが長手方向にわたって形成されている。また、内側回転体２４には遊技盤面４ｂに向けて回転軸２７が突設されている。なお、この回転軸２７は遊技盤面４ｂに垂直に設けられており、外側回転体２３と内側回転体２４とは回転軸２７を中心にして回転する。
【００２０】
図５に示すように、遊技盤４の裏には取り付け板２８が設けられている。図示しないが、この取り付け板２８は本体枠３にビス締めによって組み付けられている。取り付け板２８の所定位置には、取り付け板２８に取り付けられる各種部材を適所に配置するための板状の位置決め部材２９が上下に間隔をおいて配設されている。これら位置決め部材２９の間にはそれぞれ、第１モータ３０と第２モータ３１とが、この順に収容されている。また、位置決め部材２９の間には、第２モータ３１を収容するとともに、外側回転体２３を支持する箱型支持部材３２が配置され、ビス締め（不図示）によって取り付け板２８に組み付けられている。遊技盤４には外側回転体２３の筒状回転軸２６が挿通される挿通穴３３が形成されている。
【００２１】
箱型支持部材３２には、挿通穴３３に対向するように開口３２ａが形成されており、この開口３２ａには、筒状回転軸２６を軸支するベアリング３４が設けられている。この開口３２ａは、筒状回転軸２６がベアリング３４を介して取り付け可能となるように、外側回転体２３の筒状回転軸２６の外径よりも僅かに大きく設定されている。なお、取り付け板２８の本体枠３への組み付け、第１、第２モータ３０、３１、箱型支持部材３２の取り付け板２８への組み付け方法は、本実施形態ではビス締めを採用しているが、この方法に限定される必要はなく、溶接、かしめ、接着剤による組み付け等、公知の組み付け方法により組み付ければ良い。
【００２２】
筒状回転軸２６の外周面２６ａにはギア３５と噛合可能な歯（不図示）が形成されている。外側回転体２３には、第１モータ３０、ギア３５、及び軸３６から構成される外側回転体用駆動機構３７により回転駆動力が入力される。また、内側回転体２４の回転軸２７は、筒状回転軸２６の中心部分に形成された貫通穴２６ｂを通して箱型支持部材３２に収容されている第２モータ３１に連結され、内側回転体２４には、回転軸２７と第２モータ３１とから構成される内側回転体用駆動機構３８により回転駆動力が入力される。よって、外側回転体２３と内側回転体２４とは互いに逆向きに回転する。すなわち、図３及び図６に示すように、第１モータ３０の回転駆動力が入力された外側回転体２３は、矢印Ａ方向に回転し、他方、第２モータ３１の回転駆動力が入力された内側回転体２４は、矢印Ｂ方向に回転する。
【００２３】
なお、第１モータ３０及び第２モータ３１の回転駆動は、遊技盤４の後方に設けられている図示しない主制御装置によって制御されている。この主制御装置は、遊技を行う際に各種装置を作動させるための主制御を行い、また、遊技状況に応じて第１モータ３０及び第２モータ３１を通して外側回転体２３及び内側回転体２４の回転速度、あるいは回転方向を変化させる。例えば、いわゆる大当たり等の遊技者にとって有利な遊技状況になっている場合には、後述する第２ワープルート２１に遊技球７を排出するように、主制御装置によって第１モータ３０及び第２モータ３１の回転駆動が調整される。
また、それ以外の遊技状況においても、第１モータ３０及び第２モータ３１を通して外側回転体２３及び内側回転体２４の回転速度、回転方向を変化させることは可能であり、それらは遊技性や目的に応じて適宜に設定すれば良い。
【００２４】
遊技盤面４ｂを流下してきた遊技球７が回転体ユニット１９に到達すると、図６に示すように、外側回転体２３の外周面２５ａに衝突して弾かれるか、あるいは、図７に示すように、外側回転体２３の第一開口２５ｂが流入口となり球通路２５ｆに受け入れられる。
球通路２５ｆに受け入れられた遊技球７は、球通路２５ｆと内側回転体２４の外周面２４ａとで保持され、図８に示すように、球通路２５ｆを流下し、所定の排出位置にて、第一開口２５ｂから排出される。
【００２５】
一方、図９に示すように、外側回転体２３と内側回転体２４との相対的な位置に応じ、外側回転体２３の第二開口２５ｄと内側回転体２４の球受け２４ｂとの位置が一致した場合には、球通路２５ｆにある遊技球７は第二開口２５ｄから球受け２４ｂに排出される。
球受け２４ｂに入った遊技球７は、外側回転体２３と内側回転体２４との回転により、球受け２４ｂと外側回転体２３の内周面２５ｃとによって球受け２４ｂ内に閉じ込められる。このように内周面２５ｃが球受け２４ｂに入った遊技球７を回転体ユニット１９の外へ排出させないための規制面として機能する。
【００２６】
図１０に示すように、回転体ユニット１９下部にて、内側回転体２４の第二開口２５ｄと、外側回転体２３の球通路２５ｆとの位置が再度一致した場合には、球受け２４ｂに入っている遊技球７は、第二開口２５ｄより球通路２５ｆに流入し、第一開口２５ｂから回転体ユニット１９の外へ排出される。
【００２７】
このように、外側回転体２３の第一開口２５ｂは、外側回転体２３の回転に応じ、遊技盤面４ｂを流下する遊技球７の流入口及び、球通路２５ｆを流下する遊技球７の流出口として機能する。また、外側回転体２３の第二開口は、外側回転体２３と内側回転体２４との相対的な回転に応じ、球受け２４ｂに入った遊技球７を球通路２５ｆを通して第一開口２５ｂに向かって流下させる流入口として機能する。
【００２８】
図３に示すように、回転体ユニット１９の左側部と下部にはそれぞれ、第１ワープルート２０と第２ワープルート２１とが設けられている。図１１に示すように、第１ワープルート２０は、遊技球７を取り込むための取り込み口２０ａと、この取り込み口２０ａから取り込まれた遊技球７をアウト口１５に通じている誘導レール１６へ案内する通路部２０ｂと、この通路部２０ｂで誘導された遊技球７を誘導レール１６へ排出する排出口２０ｃとから構成される。通路部２０ｂは、遊技盤４の後方に遊技盤４と一体になるように形成されており、遊技者からは視認できないようになっている。
【００２９】
遊技盤面４ｂを流下してきた遊技球７が、外側回転体２３の球通路２５ｆに入らず外側回転体２３の外周面２５ａで弾かれ第１ワープルート２０の取り込み口２０ａに取り込まれると、この取り込まれた遊技球７は通路部２０ｂを通って誘導レール１６へと案内され、通路部２０ｂで誘導された遊技球７は、排出口２０ｃから誘導レール１６へ排出される。このように、第１ワープルート２０に取り込まれた遊技球７は、アウト口１５へと確実に誘導される。
【００３０】
図３に示すように、第２ワープルート２１は遊技球７を取り込むための取り込み口２１ａと、この取り込み口２１ａから取り込まれた遊技球７を飾り枠１７内部へ案内する通路部２１ｂと、この通路部２１ｂで誘導された遊技球７を飾り枠１７内部へ排出する排出口２１ｃとから構成される。通路部２１ｂは遊技盤４の後方に遊技盤４と一体になるように形成されており、遊技者からは視認できないようになっている。また、排出口２１ｃは、飾り枠１７内部の左側面下部に形成されている。
【００３１】
外側回転体２３の球通路２５ｆに入った遊技球７が、図１２に示すように、外側回転体２３と内側回転体２４との回転により、外側回転体２３の第二開口２５ｄと内側回転体２４の球受け２４ｂとの位置が一致した際に（図９参照）、内側回転体２４の球受け２４ｂに受け入れられ、さらに、図１３に示すように、外側回転体２３と内側回転体２４との回転により、回転ユニット１９下部にて、内側回転体２４の球受け２４ｂが取り込み口２１ａ側を向いたとき、球受け２４ｂと外側回転体２３の第二開口２５ｄとの位置が一致し（図１０参照）、遊技球７が回転体ユニット１９から排出された場合、この排出された遊技球７は、第２ワープルート２１の取り込み口２１ａに取り込まれる。
【００３２】
取り込み口２１ａから取り込まれた遊技球７は通路部２１ｂを通って飾り枠１７内部へと案内される。通路部２１ｂで誘導された遊技球７は排出口２１ｃから飾り枠１７内部へ排出される。飾り枠１７内部に排出された遊技球７は、突出ステージ１７ｂ上に導かれ、誘導穴１８から始動入賞口１２に向けて排出される。
【００３３】
図３に示すように、回転体ユニット１９の右下部には誘導部２２が設けられている。この誘導部２２は、遊技盤４面から前方に略円柱形状に突出している３つの突起２２ａから構成されている。突起２２ａは、回転体ユニット１９から飾り枠１７の突出ステージ１７ｂにかけて適所に配置されており、誘導部２２に排出された遊技球７を突出ステージ１７ｂへと誘導する。なお、上記適所とは、回転体ユニット１９から放出された遊技球７を、第２ワープルート２１を通って飾り枠１７内部に誘導された遊技球７に比べて低い確率で突出ステージ１７ｂ上に到達させるような箇所のことである。
【００３４】
外側回転体２３の球通路２５ｆに入った遊技球７が、球通路２５ｆと内側回転体２４の外周面２４ａとによって保持された状態のまま、外側回転体２３の回転によって、図１４に示すように、誘導部２２側へ排出された場合には、排出された遊技球７は３つの突起２２ａで弾かれて突出ステージ１７ｂ上に誘導される。
【００３５】
このように、本実施形態では、外側回転体用駆動機構３７、内側回転体用駆動機構３８、外側回転体２３、および内側回転体２４とから遊技球７を複数の流路に変更させる遊技球の流下経路可変装置が構成される。
【００３６】
上記のように構成されたパチンコ機２の作用について説明する。遊技者が操作ハンドル８を操作することによって作動される図示しない遊技球発射装置により、遊技球７が遊技領域４ａの上方へ発射されると、この遊技球７は遊技盤面４ｂを下方に向けてランダムな流下経路を辿りながら落下する。流下してきた遊技球７が回転体ユニット１９に取り込まれると、回転体ユニット１９は遊技球７の経路を振り分ける。
【００３７】
回転体ユニット１９の外側回転体２３と内側回転体２４は互いに逆向きに回転しており、遊技盤面４ｂを流下してきた遊技球７が外側回転体２３の外周面２５ａに衝突した場合、遊技球７は回転体ユニット１９周辺の遊技領域４ａに弾き出され、再びランダムな流下経路を辿りながら落下するか、あるいは、第１ワープルート２０に取り込まれる。遊技球７を取り込んだ第１ワープルート２０は、遊技球７をアウト口１５へ通じている誘導レール１６に確実に誘導する。
【００３８】
また、遊技盤面４ｂを流下してきた遊技球７が、外側回転体２３の第一開口２５ｂから球通路２５ｆへ流入し、さらに外側回転体２３と内側回転体２４との回転により、外側回転体２３の第二開口２５ｄと内側回転体２４の球受け２４ｂとの位置が一致した場合、遊技球７は球通路２５ｆを流下し、第二開口２５ｄから球受け２４ｂへと排出される。
【００３９】
外側回転体２３と内側回転体２４との回転により、回転体ユニット１９下部にて、再度、第二開口２５ｄと球受け２４ｂとの位置が一致した際には、球受け２４ｂにある遊技球７は、第二開口２５ｄから球通路２５ｆへと流入し、第一開口２５ｂから第２ワープルート２１へと排出される。遊技球７を取り込んだ第２ワープルート２１は、遊技球７を飾り枠１７内部へ確実に誘導する。
【００４０】
また、遊技球７が外側回転体２３の球通路２５ｆに入り込み、その遊技球７が内側回転体２４の球受け２４ｂに取り込まれなかった場合、外側回転体２３の球通路２５ｆと内側回転体２４の外周面２４ａとで遊技球７を誘導部２２へと排出する排出位置まで保持し、この排出位置にて遊技球７を排出する。誘導部２２に遊技球７が排出された場合、遊技球７は誘導部２２を経て突出ステージ１７ｂ上へと誘導され、突出ステージ１７ｂの誘導穴１８を通った遊技球７は始動入賞口１２に取り込まれる。ただし、誘導部１８は円柱形状の突起２２ａで構成されているため、第２ワープルート２１を介して飾り枠１７内部へ誘導された遊技球７に比べて、誘導部２２に排出された遊技球７の突出ステージ１７ｂ上への到達率は低くなる。
【００４１】
このように、遊技球７が誘導部２２に排出されることで、遊技球７の突出ステージ１７ｂへの到達を期待することができるので、遊技者の遊技に対する興趣を高めることができる。また、突起２２ａの形状、設置個数や配置などを変更することで遊技球７の突出ステージ１７ｂ上への到達率を調整することができ、さらには突出ステージ１７ｂ以外の箇所に遊技球７を誘導することも可能となる。
【００４２】
また、回転体ユニット１９を構成している外側回転体２３及び内側回転体２４の回転速度を調整することで、遊技球７の所定位置への到達確率を容易に調整することが可能となる。例えば、外側回転体２３の回転速度を上げると、外側回転体２３の球通路２５ｆと内側回転体２４の外周面２４ａとで保持されている遊技球７を誘導部２２へ勢い良く排出させることができる。これにより、遊技球７の突出ステージ１７ｂ上への到達確率が変更される。また、外側回転体２３の回転速度を下げ、内側回転体２４の回転速度を上げると、外側回転体２３の球通路２５ｆに流入した遊技球７は内側回転体２４の球受け２４ｂに、より高い確率で受け入れられる。
【００４３】
上述したように、遊技盤４の遊技盤面４ｂに回転体ユニット１９を設けることによって、釘を用いることなく、遊技盤面４ｂを流下する遊技球７の経路を大きく変化させることができ、さらに、回転体ユニット１９に取り込まれた遊技球７の流下経路が決まるまでの間、持続した興趣を与えることができる。
【００４４】
また、外側回転体２３に球通路２５ｆを３つ形成したので、遊技球７が球通路２５ｆに流入した場合、遊技球７は、その球通路２５ｆとは異なる球通路２５ｆから排出される可能性が生じ、遊技球７の流路の予想が困難になる。なお、球通路２５ｆの設置数は適宜に変更することが可能である。
【００４５】
また、回転体ユニット１９を構成している外側回転体２３及び内側回転体２４の形状は、上記実施形態で説明したような形状に限定される必要はなく、外側回転体２３と内側回転体２４とが同心に配置され、且つ、その同心を軸にして回転するように構成されていれば良く、外側回転体２３及び内側回転体２４の形状は種々に変更することは可能である。
【００４６】
また、上記実施形態では、回転体ユニット１９及び第１、第２ワープルート２０、２１及び誘導部２２が、飾り枠１７の左側部に設けられているが、設置箇所はこれに限ることなく、適宜に変更することが可能である。
【００４７】
例えば、図１５に示すように、飾り枠１７の左下部に回転体ユニット１９、第１、第２ワープルート２０、２１、誘導部２２を設ける。第１、第２ワープルート２０、２１はホース部材からなり、遊技盤４に工業用接着剤などで固着されている。第１ワープルート２０の構成および作用は、上記実施形態と同様であり、第１ワープルートに取り込まれた遊技球７は、アウト口１５へ確実に誘導される。第２ワープルート２１は上記実施形態と同様の構成をしているが、図１６に示すように、第２ワープルートの放出口２１ｃは、通常入賞口１３の上方に配置されている。そのため第２ワープルート２１に取り込まれた遊技球７は通常入賞口１３の上方に誘導される。これにより、通常入賞口１３への入賞確率が高まる。
【００４８】
また、誘導部２２も上記実施形態と同様の構成をしており、複数の突起２２ａから構成されている。突起２２ａは、回転体ユニット１９の右下部からアタッカ１４にかけて適所に配設されている。このような構成にすることで、回転体ユニット１９の外側回転体２３から誘導部２２に遊技球７が排出された場合には、遊技者は、遊技球７のアタッカ１４への入賞を期待することができ、これにより遊技の興趣を高めることができる。
【００４９】
【発明の効果】
以上のように、本発明の遊技球の流下経路可変装置によれば、流下経路可変装置を球通路を有する外側回転体と、球受けを有する内側回転体とから構成し、内側回転体と外側回転体とを同心で回転させるようにしたので、遊技球が流入してからその流下経路が決まるまでの間、持続した興趣を与えることができ、釘を用いることなく、遊技球の流下経路を多様化させるとともに、大きく変更させることが可能になる。
【図面の簡単な説明】
【図１】本発明を実施したパチンコ機の外観を示す斜視図である。
【図２】図１に示したパチンコ機の前面枠を開放した状態の外観を示す斜視図である。
【図３】回転体ユニット及びワープルート、並びにその周辺を示す斜視図である。
【図４】外側回転体及び内側回転体の外観を示す斜視図である。
【図５】回転体ユニットとその周辺の構成を示す断面図である。
【図６】遊技球が外側回転体の外周面で弾かれる時の状態を示す回転体ユニットの正面図である。
【図７】遊技球が外側回転体の球通路に入る時の状態を示す回転体ユニットの正面図である。
【図８】外側回転体の球通路から遊技球が放出される時の状態を示す回転体ユニットの正面図である。
【図９】遊技球が内側回転体の球受けに取り込まれた時の状態を示す回転体ユニットの正面図である。
【図１０】内側回転体の球受けから遊技球が放出される時の状態を示す回転体ユニットの正面図である。
【図１１】遊技球が第１ワープルートに取り込まれる時の回転体ユニット及びワープルート、並びにその周辺を示す斜視図である。
【図１２】遊技球が内側回転体の球受けに取り込まれた時の回転体ユニット及びワープルート、並びにその周辺を示す斜視図である。
【図１３】遊技球が第２ワープルートに取り込まれる時の回転体ユニット及びワープルート、並びにその周辺を示す斜視図である。
【図１４】遊技球が誘導部に放出される時の回転体ユニット及びワープルート、並びにその周辺を示す斜視図である。
【図１５】回転体ユニット及びワープルートを飾り枠の左下部に配置した場合のパチンコ機の外観を示す斜視図である。
【図１６】飾り枠の左下部に配置された回転体ユニット及びワープルート、並びにその周辺の様子を示す斜視図である。
【符号の説明】
２  パチンコ機（弾球遊技機）
４  遊技盤
４ａ  遊技領域
４ｂ  遊技盤面
１２  始動入賞口
１３  通常入賞口
１４  アタッカ
１５  アウト口
１６  誘導レール
１７  飾り枠
１９  回転体ユニット
２３  外側回転体
２４  内側回転体
２４ａ  外周面
２４ｂ  球受け
２５ａ  外周面
２５ｂ  第一開口
２５ｃ  内周面
２５ｄ  第二開口
２５ｅ  中空部
２５ｆ  球通路
２７  回転軸
３０  第１モータ
３１  第２モータ
３５  ギア
３６  軸
３７  外側回転体用駆動機構（駆動機構）
３８  内側回転体用駆動機構（駆動機構）
【図１】
2005021513.tif 000003
【図２】
2005021513.tif 000004
【図３】
2005021513.tif 000005
【図４】
2005021513.tif 000006
【図５】
2005021513.tif 000007
【図６】
2005021513.tif 000008
【図７】
2005021513.tif 000009
【図８】
2005021513.tif 000010
【図９】
2005021513.tif 000011
【図１０】
2005021513.tif 000012
【図１１】
2005021513.tif 000013
【図１２】
2005021513.tif 000014
【図１３】
2005021513.tif 000015
【図１４】
2005021513.tif 000016
【図１５】
2005021513.tif 000017
【図１６】
2005021513.tif 000018